(57)【要約】【課題】  本発明は、走査面に対する探触子の角度が所定の角度と異なってしまった場合でも、取得される被検体情報の画質の低下を簡便に抑制できる被検体情報取得装置を提供することを目的とする。【解決手段】  本明細書が開示する被検体情報取得装置は、複数の音響波送信部の送信面と走査面とのなす角度を取得し、角度に基づいて複数の音響波送信部のそれぞれが音響波を送信する送信時刻を制御する。【選択図】  図１２
2015006286.tif 000002
【特許請求の範囲】
【請求項１】
被検体に音響波をそれぞれ送信する複数の音響波送信部と、
前記音響波が前記被検体内で反射することにより発生したエコーを、所定の受信時刻から受信して時系列の電気信号を出力する複数の音響波受信部と、
前記複数の音響波送信部を走査面に沿って走査する走査部と、
前記時系列の電気信号に基づき、被検体情報を取得する信号処理部とを有し、
前記信号処理部は、
前記複数の音響波送信部の送信面と前記走査面とのなす角度を取得し、
前記角度に基づいて前記複数の音響波送信部のそれぞれが音響波を送信する送信時刻を制御することを特徴とする被検体情報取得装置。
【請求項２】
前記被検体を保持する保持部を更に有し、
前記保持部は、前記被検体と前記複数の音響波送信部との間に配置され、
前記保持部の前記複数の音響波送信部が位置する側の面と平行する面の少なくとも一部を前記走査面とすることを特徴とする請求項１に記載の被検体情報取得装置。
【請求項３】
前記信号処理部は、前記複数の音響波送信部が所定の方向に音響波ビームを形成するように、前記送信時刻を制御することを特徴とする請求項１または２に記載の被検体情報取得装置。
【請求項４】
前記所定の方向は、前記複数の音響波送信部の送信面と前記走査面とのなす角度が所定の角度である場合に、前記複数の音響波送信部のそれぞれが所定の送信時刻に音響波を送信するときに形成される音響波ビームの方向であることを特徴とする請求項３に記載の被検体情報取得装置。
【請求項５】
前記信号処理部は、前記複数の音響波受信部が前記所定の受信時刻から所定の位置で発生するエコーを受信できるように、前記送信時刻を制御することを特徴とする請求項１から４のいずれか１項に記載の被検体情報取得装置。
【請求項６】
前記所定の位置は、前記走査面の少なくとも一部であることを特徴とする請求項５に記載の被検体情報取得装置。
【請求項７】
前記信号処理部は、前記所定の送信時刻に前記角度に基づくオフセット時間を与えることにより、前記送信時刻を制御することを特徴とする請求項１から６のいずれか１項に記載の被検体情報取得装置。
【請求項８】
前記複数の音響波送信部と前記複数の音響波受信部とは、１つのトランスデューサアレイで構成されていることを特徴とする請求項１から７のいずれか１項に記載の被検体情報取得装置。
【請求項９】
複数の音響波送信部が被検体に音響波を送信する工程と、
前記音響波が前記被検体内で反射することにより発生したエコーを、所定の受信時刻から受信して時系列の電気信号を取得する工程と、
前記複数の音響波送信部を走査面に沿って走査する工程と、
前記時系列の電気信号に基づき、被検体情報を取得する工程とを行い、
前記音響波を送信する工程の前に、
前記複数の音響波送信部の送信面と前記走査面とのなす角度を取得する工程と、
前記複数の音響波送信部のそれぞれが前記角度に基づいた送信時刻に音響波を送信する工程とを更に行うことを特徴とする被検体情報取得装置の作動方法。
【請求項１０】
前記複数の音響波送信部を前記走査面の第１の位置に走査する工程と、
前記複数の音響波送信部が前記第１の位置に位置するときに、前記複数の音響波送信部の送信面と前記走査面とのなす第１の角度を取得する工程と、
前記第１の角度に基づき、第１の送信時刻を決定する工程と、
前記複数の音響波送信部が前記第１の位置で第１の送信時刻に音響波を送信する工程と、
前記複数の音響波送信部を前記走査面の前記第１の位置とは異なる第２の位置に走査する工程と、
前記複数の音響波送信部が前記第２の位置に位置するときに、前記複数の音響波送信部の送信面と前記走査面とのなす第２の角度を取得する工程と、
前記第２の角度に基づき、第２の送信時刻を決定する工程と、
前記複数の音響波送信部が前記第２の位置で前記第２の送信時刻に音響波を送信する工程とを順に行うことを特徴とする請求項９に記載の被検体情報取得装置の作動方法。
【請求項１１】
請求項９または１０に記載の被検体情報取得装置の作動方法をコンピュータに実行させるためのプログラム。
【発明の詳細な説明】
【技術分野】
【０００１】
本発明は音響波を受信して被検体情報を取得する被検体情報取得装置、被検体情報取得装置の作動方法、およびプログラムに関する。
【背景技術】
【０００２】
従来から音響波を送受信して生体などの被検体の内部の情報を取得するエコー装置が提案されてきた。
【０００３】
特許文献１は、被検体を２枚の圧迫板で圧迫した状態で探触子を走査することにより、Ｂモード画像を取得する装置を開示する。さらに、特許文献１は、走査中に圧迫板の湾曲が生じてしまうと圧迫板に対して探触子が傾いてしまうので、取得される画質が低下してしまうことを開示する。そこで、特許文献１は、圧迫板と探触子との傾きを補正するために、探触子の位置および姿勢を機械的に制御することを開示する。
【先行技術文献】
【特許文献】
【０００４】
【特許文献１】特開２０１０−３５５７４号公報
【発明の概要】
【発明が解決しようとする課題】
【０００５】
ところが、特許文献１が開示するような探触子の配置の機械的な制御においては、装置の機械的な構成が大きくなってしまう可能性がある。また、探触子の位置決め誤差などにより、被検体情報の画質が低下してしまう可能性がある。
【０００６】
そこで、本発明は、走査面に対する探触子の角度が所定の角度と異なってしまった場合でも、取得される被検体情報の画質の低下を簡便に抑制できる被検体情報取得装置を提供することを目的とする。
【課題を解決するための手段】
【０００７】
本明細書が開示する被検体情報取得装置は、被検体に音響波をそれぞれ送信する複数の音響波送信部と、音響波が被検体内で反射することにより発生したエコーを、所定の受信時刻から受信して時系列の電気信号を出力する複数の音響波受信部と、複数の音響波送信部を走査面に沿って走査する走査部と、時系列の電気信号に基づき、被検体情報を取得する信号処理部とを有し、信号処理部は、複数の音響波送信部の送信面と走査面とのなす角度を取得し、角度に基づいて複数の音響波送信部のそれぞれが音響波を送信する送信時刻を制御する。
【発明の効果】
【０００８】
本発明に係る被検体情報取得装置によれば、走査面に対する探触子の角度が所定の角度と異なってしまった場合でも、取得される被検体情報の画質の低下を簡便に抑制できる。
【図面の簡単な説明】
【０００９】
【図１】本発明の実施形態に係る被検体情報処理装置の構成を示す図である。
【図２】本発明の実施形態に係る信号処理部およびその周辺の構成を示す図である。
【図３】比較例１に係る被検体情報の取得動作を示す図である。
【図４】比較例２に係る被検体情報の取得動作を示す図である。
【図５】第１の実施形態に係る被検体情報取得方法のフローを示す図である。
【図６】第１の実施形態に係る被検体情報の取得動作を示す図である。
【図７】第２の実施形態に係る被検体情報取得方法のフローを示す図である。
【図８】第２の実施形態に係る被検体情報の取得動作を示す図である。
【図９】第３の実施形態に係る被検体情報取得方法のフローを示す図である。
【図１０】第３の実施形態に係る被検体情報の取得動作を示す図である。
【図１１】第４の実施形態に係る被検体情報取得方法のフローを示す図である。
【図１２】第４の実施形態に係る被検体情報の取得動作を示す図である。
【発明を実施するための形態】
【００１０】
（第１の実施形態）
以下、図面を参照しつつ、本実施形態に係る被検体情報取得装置を説明する。本実施形態に係る被検体情報取得装置は、複数のトランスデューサを走査面に沿って走査する。また、本実施形態に係る被検体情報取得装置は、被検体に送信された音響波が被検体内で反射することにより発生したエコーを受信することにより、被検体内の形態情報を取得する。なお、本実施形態に係る被検体情報取得装置は、複数のトランスデューサの送信面と所定の走査面のなす角度に基づいて、音響波の送信時刻を制御する。これにより、走査中のトランスデューサの揺動や被検体の変形などに起因する被検体情報の連続性の低下を抑制することができる。
【００１１】
図１に示す被検体情報取得装置は、保持部としての平行平板１３０Ａおよび１３０Ｂ、複数のトランスデューサ１４１を備える探触子１４０、走査部としての走査機構１５０、コンピュータとしての信号処理部１６０、および表示部としてのディスプレイ１７０を有する。
【００１２】
複数のトランスデューサ１４１は、音響波の送受信を行うことができる。すなわち、本実施形態に係るトランスデューサアレイは、音響波送信部と音響波受信部とを兼ねている。
【００１３】
また、被検体１００は、平行平板１３０Ａおよび１３０Ｂに挟まれ保持されている。平行平板１３０Ａおよび１３０Ｂは、被検体１００を保持することにより、被検体１００が動いてしまうことによる計測誤差を低減させている。
【００１４】
図２は、信号処理部１６０の詳細、および、信号処理部１６０の周辺の構成を示す模式図である。信号処理部１６０は、制御部１６１、演算部１６２、記憶部１６３を備えている。
【００１５】
制御部１６１は、バス２００を介して被検体情報取得装置を構成する各構成の動作を制御している。また、制御部１６１は、記憶部１６３に保存された後述する被検体情報取得方法が記述されたプログラムを読み出し、被検体情報取得装置に読み出した被検体情報取得方法を実行させている。
【００１６】
本実施形態において走査機構１５０は、平行平板１３０Ｂの探触子１４０が位置する側の面１３０Ｃ、すなわちｘ−ｙ平面の一部を走査面として探触子１４０を走査している。
【００１７】
本実施形態において走査面とは、特定のトランスデューサの送信面が走査されるべき経路を含む面のことを指す。  なお、保持部として平行平板以外の形状の部材を用いた場合も保持部の一部を走査面としてもよい。また、被検体１００の表面など、保持部以外の部材を走査面として利用してもよい。また、任意の空間に走査面を設定してもよい。例えば、保持部の一面と平行する面を走査面としてもよい。また、走査面は平面に限らず、曲面などの任意の面とすることができる。
【００１８】
また、走査面は、出荷時に設定されていてもよいし、探触子１４０を走査する前にユーザや信号処理部１６０により設定されてもよい。例えば、測定部が被検体１００の形状を測定し、ユーザが被検体１００の形状の画像から、被検体１００の表面を走査面として設定してもよい。
【００１９】
なお、特定のトランスデューサは、複数のトランスデューサのうち、いずれのトランスデューサとしてよい。また、特定のトランスデューサは、時間に応じて変化してもよい。また、特定のトランスデューサは、音響波ビーム毎に変化してもよい。例えば、特定のトランスデューサは、音響波ビーム毎に開口の中心に位置するトランスデューサが設定されてもよい。
【００２０】
また、本実施形態に係る被検体情報取得装置は、複数のトランスデューサ１４１の送信面と走査面とのなす角度が所定の角度で配置されている場合に、所望の被検体情報を取得できるように構成されている。本実施形態において所定の角度は０°としている。
【００２１】
ここで、複数のトランスデューサの送信面と走査面とのなす角度とは、特定のトランスデューサの送信面と走査面とのなす角度のことを指す。典型的にトランスデューサの送信面は、トランスデューサの最も送信効率の高い方向の法線を含む面となる。
【００２２】
本実施形態においては、平面である面１３０Ｃの一部を走査面としているため、複数のトランスデューサ１４１の送信面と面１３０Ｃとのなす角度を、複数のトランスデューサ１４１の送信面と走査面とのなす角度として以下説明する。以下、複数のトランスデューサの受信面と走査面とのなす角度を単に「角度」とも称する。
【００２３】
図３は、複数のトランスデューサ１４１の送信面と面１３０Ｃとのなす角度が所定の角度（０°）である場合の比較例１を示す。ここで、探触子１４０は矢印方向に走査され、各位置で音響波ビームを送受信している。また、図３（Ａ）における一点鎖線は走査されたときの各時刻における探触子１４０を表している。
【００２４】
比較例１において、複数のトランスデューサ１４１のそれぞれは、送信面の法線方向の領域３００に音響波を送信するように、音響波の所定の送信時刻が設定されている。なお、本実施形態において、それぞれのトランスデューサが発する音響波を「音響波」と称し、各トランスデューサからの音響波が重ね合わさって形成されるビームを「音響波ビーム（走査線とも呼ばれる）」と称する。
【００２５】
典型的に、音響波ビームは、開口の中心に位置するトランスデューサから任意の集束位置に向かって形成される。また、複数のトランスデューサのそれぞれには音響波ビームに対応する送信時刻が与えられる。本実施形態において、各トランスデューサに与えられた送信時刻の組み合わせを「送信パターン」と称する。
【００２６】
なお、音響波ビームは、深さの異なる点に複数回音響波が集束されることにより形成されてもよい。また、音響波ビームを異なる位置に複数形成することにより、結果的に２次元の領域に音響波ビームを形成することができる。
【００２７】
例えば、図３（Ｂ）に示すように、集束位置３３０に向かって送信される音響波ビーム３４０に対応する送信パターンが、記憶部１６３としての波形データメモリ１６３Ａに格納されている。制御部１６１はこの波形データメモリ１６３Ａに格納された送信パターンを読み出すことにより、複数のトランスデューサ１４１のそれぞれの送信時刻を制御している。
【００２８】
なお、図３Ｂにおいて、波形データメモリ１６３Ａのアドレスのうち紙面上方向のアドレスのほうが、送信時刻が遅いデータに対応することを示している。
【００２９】
Ｌ（ｎ）は、複数のトランスデューサ１４１のうち、紙面左からｎ番目のトランスデューサから集束位置３３０までの距離を表す。また、Δｔｄ０（ｎ）は、開口の中心に位置するトランスデューサ（図３Ｂでは４番目のトランスデューサ）の送信時刻と、ｎ番目のトランスデューサの送信時刻との差を表す。すなわち、Δｔｄ０（ｎ）＝｛Ｌ（ｎ）−Ｌ（４）｝／ｃ０となる。ｃ０は集束位置３３０と各トランスデューサとの間の材料中の音速である。
【００３０】
続いて、複数のトランスデューサ１４１は、領域３００で反射された音響波ビームのエコーを受信することにより、領域３００に対応する時系列の電気信号を取得する。なお、複数のトランスデューサ１４１は、面１３０Ｃで発生したエコーを始めとして受信するように、所定の受信時刻からエコーを受信するように制御されている。すなわち、複数のトランスデューサ１４１の受信面を一端とする領域３００に対応する時系列の電気信号が取得される。
【００３１】
続いて、信号処理部１６０は、領域３００に対応する時系列の電気信号を用いて整相加算処理などの再構成処理を行うことにより、図３（Ｃ）に示すようなＢモード画像３１０を取得する。ここで、Ｂモード画像３１０の領域３２０は、領域３００に対応する被検体情報の画像を表す。
【００３２】
図３より、図３（Ａ）に示す被検体１００内の形態と図３（Ｃ）に示すＢモード画像３１０は一致していることが理解される。なお、比較例１においては、再構成された画像の座標系と測定時の座標系とは同じである。
【００３３】
次に、図４（Ａ）に示されるように複数のトランスデューサ１４１の送信面と面１３０Ｃとのなす角度がθである場合の比較例２を示す。すなわち、比較例２では、複数のトランスデューサ１４１の送信面と面１３０Ｃとのなす角度θが、所定の角度（０°）とは異なっている場合を考える。比較例２においても比較例１と同様に、探触子１４０は矢印方向に走査され、各位置で音響波を送受信している。
【００３４】
比較例２においても、図４（Ａ）に示すように複数のトランスデューサ１４１は、その送信面の法線方向の領域４００に音響波ビームを送信するようにそれぞれのトランスデューサの送信時刻は予め設定されている。そのため、複数のトランスデューサ１４１は、その送信面の法線方向の領域４００に音響波ビームを送信することとなる。
【００３５】
そして、比較例２においても、複数のトランスデューサ１４１は所定の受信時刻からエコーを受信するように制御されている。そのため、複数のトランスデューサ１４１は、複数のトランスデューサ１４１の受信面を一端とする領域４００で反射されたエコーを受信して領域４００に対応する時系列の電気信号を取得する。
【００３６】
続いて、信号処理部１６０は、領域４００に対応する時系列の電気信号を用いて整相加算処理などの再構成処理を行うことにより、領域４００に対応する被検体情報を取得する。ところが、比較例２においては、複数のトランスデューサ１４１が面１３０Ｃに対して所定の角度で配置されていると仮定している。すなわち、領域３２０の座標系（ｘ，ｙ，ｚ）と領域４００の座標系（ｘ’，ｙ，ｚ’）とは異なるにもかかわらず、領域３２０の座標に領域４００に対応する被検体情報は再構成されてしまう。
【００３７】
その結果、信号処理部１６０は、図４（Ｂ）に示すＢモード画像４１０を取得することとなる。ここで、Ｂモード画像４１０の領域４２０は、領域４００に対応する被検体情報の画像である。また、図４（ａ）における矢印４３０および４４０はそれぞれ、探触子１４０から送信され、被検体１００内の反射体で反射した音響波を示す。矢印４３０および４４０に示される音響波は、反射体のほとんど同じ位置に到達している。ところが、矢印４３０および４４０に示される音響波の伝搬距離は異なっていることが理解される。図４（Ｂ）において矢印４５０および４６０は、矢印４３０および４４０が示す音響波のそれぞれの伝搬距離を表している。矢印４５０および４６０が示すように、探触子１４０はほとんど同じ位置からのエコーを受信しているにもかかわらず、伝搬距離が異なるため画像では反射体が異なる位置に現れてしまう。
【００３８】
図４（Ｂ）から理解されるように、複数のトランスデューサ１４１の送信面と面１３０Ｃとのなす角度が所定の角度でない場合は、得られる被検体情報の画像４１０の連続性は低下してしまう。また、複数のトランスデューサ１４１の送信面と面１３０Ｃとのなす角度が所定の角度でない場合は、図４（Ａ）に示す被検体１００内の形態と図４（Ｂ）に示すＢモード画像４１０とは一致しない。このように連続性が低下した被検体情報の画像は、診断画像としては不十分である可能性がある。
【００３９】
そこで、本実施形態に係る被検体情報取得装置は、複数のトランスデューサ１４１の送信面と面１３０Ｃとのなす角度に基づいて、複数のトランスデューサ１４１のそれぞれにおける音響波の送信時刻を制御する。これにより、実際の角度と所定の角度とのずれに起因する被検体情報の連続性の低下を抑制することができる。また、機械的な構成の配置を制御することなく、送信時刻を制御することにより、機械的な構成が大きくなることを抑制できる。また、機械的な構成の位置決め誤差などによる被検体情報の連続性の低下を抑制することができる。
【００４０】
＜被検体情報取得装置の構成＞
以下、被検体情報取得装置の構成の詳細を説明する。
【００４１】
（探触子）
探触子１４０は、被検体１００へ音響波ビームを送信することのできる複数のトランスデューサ１４１を備えている。また、複数のトランスデューサ１４１は、被検体１００内で発生したエコーを受信して電気信号に変換することもできる。なお、音響波ビームを送信する音響波送信部と、エコーを受信する音響波受信部とをそれぞれ異なる複数のトランスデューサから構成してもよい。また、探触子１４０は、複数のトランスデューサ１４１を覆う筺体を備えている。
【００４２】
エコー装置に用いられる音響波の周波数は、典型的には１ＭＨｚから１０００ＭＨｚ程度である。そのため、上記の周波数帯を送受信できるトランスデューサが用いられることが好ましい。トランスデューサとしては、圧電現象を用いたトランスデューサ、光の共振を用いたトランスデューサ、容量の変化を用いたトランスデューサなどの素子を用いることができる。
【００４３】
複数のトランスデューサ１４１は１次元に配列されても、２次元に配列されてもよい。このようにアレイ状に配列された複数のトランスデューサ１４１を用いることにより、同時に複数の場所で音響波を受信することができ、受信時間を短縮できる。
【００４４】
（保持部）
本実施形態においては、保持部としての２枚の平行平板１３０Ａおよび１３０Ｂで被検体１００を挟むことにより、被検体１００を保持している。
【００４５】
なお、保持部は、平行平板に限らず、お椀形状の部材など被検体１００を保持できる部材であればどのような部材であってもよい。また、保持部は、フィルム状の部材であってもよい。すなわち、保持部は、乳房などの被検体よりも柔かい材料から構成されていてもよい。
【００４６】
また、保持部は、探触子１４０との音響整合性が高い材料であることが好ましい。
【００４７】
ただし、被検体１００を保持する必要がない場合には、被検体情報取得装置は保持部を備える必要がない。
【００４８】
（走査機構）
走査機構１５０は、探触子１４０を走査面に沿って走査する装置である。
【００４９】
なお、保持部として平行平板以外の形状の部材を用いた場合も、保持部の一部を走査面としてもよい。また、保持部の一部と平行する面を走査面としてもよい。
【００５０】
また、被検体１００の表面など、保持部以外の部材を走査面として利用してもよい。また、任意の空間に走査面を設定してもよい。また、走査面は、ユーザや信号処理部１６０によって設定されてもよいし、予め設定されていてもよい。また、走査面は平面に限らず、曲面などの任意の面とすることができる。
【００５１】
また、本実施形態において走査機構１５０は探触子１４０をステップアンドリピートによって走査しているが、連続走査してもよい。また、走査機構１５０は、走査中に走査の速度を変更してもよい。
【００５２】
（信号処理部）
信号処理部１６０は、制御部１６１、演算部１６２、記憶部１６３を備えている。
【００５３】
制御部１６１は、典型的にはＣＰＵなどの素子から構成される。
【００５４】
演算部１６２は、典型的にはＣＰＵ、ＧＰＵ、増幅器、Ａ／Ｄ変換器、ＦＰＧＡ（Ｆｉｅｌｄ  Ｐｒｏｇｒａｍｍａｂｌｅ  Ｇａｔｅ  Ａｒｒａｙ）、およびＡＳＩＣなどの素子から構成される。なお、演算部１６２は、１つの素子から構成されるだけではなく、複数の素子から構成されていてもよい。また、本実施形態に係る被検体情報取得方法で行うそれぞれの処理は、どの素子により行われてもよい。
【００５５】
演算部１６２は、トランスデューサより得られた電気信号を増幅し、その電気信号をアナログ信号からデジタル信号に変換する処理などを行うことができる。
【００５６】
また、演算部１６２は、時系列の電気信号に対して公知の再構成処理を施すことにより、被検体情報を取得することができる。例えば、被検体情報としてのＢモード画像を取得するための公知の再構成処理としては、信号の位相を整合するための整相加算処理などが挙げられる。また、被検体情報としてのドップラー画像を取得するための再構成処理としては、送信波と受信波の周波数の変化を算出する処理などが挙げられる。また、被検体情報としてのエラスト画像を取得するための再構成処理としては、組織の変形の前後で取得したデータの音線ごとの歪を算出する処理などが挙げられる。また、再構成処理に多くの時間要してもよい場合には、繰り返し処理による逆問題解析法などの画像再構成手法を用いることもできる。
【００５７】
なお、音響レンズなどを有するトランスデューサを用いて受信フォーカスする場合、演算部１６２は、再構成処理を行うことなく、被検体情報を取得することができる。そのような場合には、演算部１６２は、再構成処理を行わなくてもよい。
【００５８】
また、演算部１６２は、同時に複数のデータをパイプライン処理できるように構成されていることが好ましい。これにより、被検体情報を取得する時間を短縮することができる。
【００５９】
記憶部１６３は、典型的にはＲＯＭ、ＲＡＭ、およびハードディスクなどの媒体から構成される。なお、記憶部１６３は、１つの媒体から構成されるだけでなく、複数の媒体から構成されていてもよい。
【００６０】
なお、被検体情報取得方法において行われる処理を、制御部１６１に実行させるプログラムとして記憶部１６３に保存しておくことができる。ただし、プログラムが保存される記憶部１６３は、ＲＯＭなどの非一時的な記録媒体である。
【００６１】
また、信号処理部および複数のトランスデューサは、共通の筺体に収められて探触子として提供されてもよい。ただし、探触子に収められた信号処理部で一部の信号処理を行い、残りの信号処理を探触子の外部に設けられた信号処理部で行ってもよい。この場合、探触子の内部および外部に設けられた信号処理部を総称して、本実施形態に係る信号処理部とすることができる。
【００６２】
＜被検体情報取得方法＞
続いて、本実施形態に係る被検体情報取得方法を、図５に示すフロー図および図６に示す概略図を用いて説明する。各工程は、制御部１６１が被検体情報取得装置の各構成の作動を制御することにより実行される。すなわち、以下、本実施形態に係る被検体情報取得装置の作動方法を説明する。
【００６３】
本実施形態では、図６（Ａ）に示すように複数のトランスデューサ１４１の送信面と面１３０Ｃとが角度θをなす場合を考える。
【００６４】
（Ｓ１００：音響波の送信面と走査面とのなす角度を取得する工程）
この工程では、演算部１６２は、公知の種々の方法により、複数のトランスデューサ１４１の送信面と面１３０Ｃとのなす角度θを取得する。
【００６５】
例えば、特許文献１に記載のように、複数のトランスデューサ１４１が面１３０Ｃに対して音響波の送受信を行い、演算部１６２が複数のトランスデューサ１４１からの出力に基づいて角度を検知することができる。また、ＣＣＤなどの撮像部によって被検体情報取得装置の各構成および被検体の形状を測定し、演算部１６２はその測定結果に基づいて角度を取得することができる。また、被検体情報取得装置の各構成及び被検体に位置センサや加速度センサなどを設け、それらのセンサからの出力に基づいて、演算部１６２は角度を取得することもできる。
【００６６】
なお、第１の位置における第１の角度を取得し、続いてこの第１の角度を用いて第１の位置においてＳ２００以降の工程を行い、続いて第２の位置における第２の角度を取得し、続いてこの第２の角度を用いて第２の位置においてＳ２００以降の工程を行ってもよい。この方法によれば、角度を取得する時刻と音響波を送信する時刻との差が小さいため、取得される角度と音響波の送信時の角度との変動を小さくすることができる。
【００６７】
また、Ｓ２００以降の工程の前に各位置における角度を予め取得してもよい。
【００６８】
また、ある位置における角度を取得し、その角度をその他の位置における角度としてもよい。
【００６９】
また、音響波の送受信により角度を取得する場合、取得された角度が所定の角度と異なる場合のみＳ２００〜Ｓ５００のすべての工程を行い、取得された角度が所定の角度であった場合は送受信により得られた出力を用いてＳ４００の工程により被検体情報を取得してもよい。このとき、取得された角度と所定の角度との差が被検体情報の連続性に影響を与えない限り、取得された角度は所定の角度とみなすことができる。
【００７０】
（Ｓ２００：所定の面で発生するエコーから受信できるように角度に基づいて決定された送信時刻で音響波ビームを被検体に送信する工程）
この工程では、まず演算部１６２が、開口の中心のトランスデューサと面１３０Ｃとの間の音響波ビーム６３０の伝搬時間を補正するように、Ｓ１００で取得した角度θに基づいて送信パターンに与えるオフセット時間を取得する。そして、演算部１６２は、送信パターンの送信時刻をオフセット時間だけ早くし、記憶部１６３内の波形データメモリ１６３Ａに保存する。本実施形態において、演算部１６２は、全トランスデューサに対応する送信時刻に音響波ビーム毎に同一のオフセット時間を与えている。
【００７１】
以下、演算部１６２が音響波ビーム６３０に対応するオフセット時間を取得する例を、図６（Ａ）を用いて説明する。演算部１６２は、角度θ、角度θの回転の支点Ｐ１と音響波ビーム６３０の始点Ｐ２（開口の中心のトランスデューサの位置）との距離Ｄ、および音速ｃに基づいて、オフセット時間Δｔｄ１＝Ｄ・ｔａｎθ／ｃを取得する。ここで音速ｃは複数のトランスデューサ１４１と面１３０Ｃとの間の材料中の音速を用いた。典型的には、複数のトランスデューサ１４１と面１３０Ｃとの間には音響整合材などが配置される。なお、演算部１６２は、音響波ビーム６３０以外の音響波ビームについても、それぞれに対応するオフセット時間を取得する。
【００７２】
次に、制御部１６１が、記憶部１６３に保存されたオフセットされた送信パターンを読み出し、複数のトランスデューサ１４１にオフセットされた送信パターンに対応する送信時刻で音響波を送信させる。このとき、全トランスデューサに対応する送信時刻に同一のオフセット時間を与えているため、音響波ビームの方向はオフセット前後で変わらない。
【００７３】
ここで、制御部１６１は、波形データメモリ１６３Ａのアドレスを０から１ずつインクリメントして読み出す。制御部１６１は、通常波形データメモリ１６３Ａの読み出しクロックに従ってアドレスをインクリメントする。例えば、読み出しクロックが５０ＭＨｚの場合は、２０ｎｓ毎にアドレスをインクリメントする。すなわち、制御部１６１は、０番目のトランスデューサについては、アドレスが６になると波形データが読み出す。そのため、０番目のトランスデューサは、アドレスの読み出しを開始してから１２０ｎｓ後に音響波を送信する。また、その他のトランスデューサについても同様に波形データが読み出されて、それぞれに対応する送信時刻に音響波が送信される。
【００７４】
この例では、波形データメモリ１６３Ａのアドレスを０からインクリメントさせているが、アドレスの読み出し方法はこれに限らない。本実施形態においては、音響波の送信動作が正常に行われる限り、アドレスの読み出し順はどのようであってもよい。また、波形データが格納されるアドレスも音響波の送信動作が正常に行われる限り、上記のアドレスに限らない。
【００７５】
なお、送信時刻を制御するために、制御部１６１は記憶部１６３に格納されたオフセット前の送信パターンをオフセット時間だけ早く読み出すようにしてもよい。すなわち、波形データメモリ１６３Ａのアドレスの読み出しを開始する時刻をオフセット時間だけ早くしてもよい。
【００７６】
また、各角度と各音響波ビームとに対応する送信パターンが記憶部１６３に格納されていてもよい。この場合、制御部１６１は、記憶部１６３に予め格納された送信パターンから角度に対応する送信パターンを読み出し、送信時刻を制御すればよい。
【００７７】
また、演算部１６２がオフセット時間を取得せずに、角度に基づいて、送信パターンを送信毎に算出してもよい。
【００７８】
また、面１３０Ｃと回転の支点Ｐ１とが距離を有する場合には、その距離に応じてオフセット時間を取得することが好ましい。例えば、面１３０Ｃと回転の支点Ｐ１との距離をＬ１とし、面１３０Ｃと回転の支点Ｐ１との間の材料の音速をｃ１とすると、オフセット時間はΔｔｄ１＝Ｄ・ｔａｎθ／ｃ＋Ｌ１／ｃ１と取得される。
【００７９】
また、本実施形態においては、複数のトランスデューサ１４１と面１３０Ｃとの距離を補正するように送信時刻は決定されたが、複数のトランスデューサ１４１と任意の面との距離を補正するように送信時刻は決定されてもよい。なお、開口の中心のトランスデューサとこの任意の面との位置関係によって、音響波はオフセット時間だけ遅く送信される必要な場合もある。
【００８０】
（Ｓ３００：所定の時刻から音響波ビームのエコーを受信して時系列の電気信号を取得する工程）
この工程では、複数のトランスデューサ１４１が、被検体１００内で発生したＳ２００で送信された音響波ビームのエコーを受信して、時系列の電気信号を取得する。そして、時系列の電気信号は、演算部１６２により増幅処理やＡＤ変換処理などがなされた後に、時系列の電気信号データとして記憶部１６３に格納される。
【００８１】
このとき、複数のトランスデューサ１４１は、複数のトランスデューサ１４１と面１３０Ｃとのなす角度が所定の角度（０°）となっていると仮定して、所定の時刻からエコーを受信している。ところが、Ｓ２００において複数のトランスデューサ１４１と面１３０Ｃとの距離分の伝搬時間をオフセットして音響波ビーム６３０を送信しているため、所定の受信時刻に面１３０Ｃで発生したエコーが複数のトランスデューサ１４１に到達する。そのため、複数のトランスデューサ１４１は、所定の受信時刻に面１３０Ｃで発生したエコーを始めとしてエコーを受信する。
【００８２】
すなわち、本工程においては、図６（Ｂ）に示す領域６００で発生したエコーに対応する時系列の電気信号データを取得することとなる。
【００８３】
（Ｓ４００：時系列の電気信号に基づいて、被検体情報を取得する工程）
この工程では、演算部１６２が、Ｓ３００で取得された時系列の電気信号に基づいて、被検体情報を取得する。演算部１６２は、記憶部１６３に格納された時系列の電気信号データに対して、公知の再構成処理を行うことにより形態情報（Ｂモード画像）などの被検体情報を取得する。
【００８４】
なお、本実施形態において演算部１６２は、複数のトランスデューサ１４１の送信面と面１３０Ｃとのなす角度が所定の角度となっていると仮定しているため、図６（Ｃ）に示すような（ｘ，ｙ，ｚ）座標系の被検体情報を取得する。
【００８５】
（Ｓ５００：被検体情報を表示する工程）
この工程では、ディスプレイ１７０が、Ｓ４００で取得された被検体情報を表示する。まず演算部１６２が、記憶部１６３に格納された被検体情報に対して輝度値変換などの処理を施すことにより、被検体情報の画像データを生成する。そして、制御部１６１が画像データをディスプレイ１７０に出力することにより、ディスプレイ１７０に図６（Ｃ）に示す被検体情報の画像６１０が表示される。ここで、画像６２０は領域６００で発生したエコーに対応する被検体情報の画像を示す。
【００８６】
図４（Ｂ）に示す比較例２に係る被検体情報の画像４１０と比較して、図６（Ｃ）に示す本実施形態に係る被検体情報の画像６１０の連続性は高いことが理解される。
【００８７】
以上、本実施形態に係る被検体情報取得装置によれば、複数のトランスデューサの送信面と走査面とが所定の角度となっていない場合においても、取得される被検体情報の連続性の低下を抑制することができる。
【００８８】
（第２の実施形態）
続いて、本実施形態に係る被検体情報取得方法を、図７に示すフローと図８に示す概略図を用いて説明する。なお、図７において、図５に示す処理と同じ処理については、同じ処理番号を付して詳細な説明を省略する。また、本実施形態においても、第１の実施形態と同じ被検体情報取得装置を用いる。
【００８９】
本実施形態は、Ｓ１００〜Ｓ４００の工程で被検体情報を取得した後に、角度に基づいて被検体情報の座標が変換される点が第１の実施形態と異なる。
【００９０】
（Ｓ４１０：角度に基づいて被検体情報の座標を変換する工程）
第１の実施形態では、複数のトランスデューサ１４１の送信面と面１３０Ｃとのなす角度が所定の角度であると仮定して被検体情報が取得されているため、エコーが受信された領域６００の座標系（ｘ’，ｙ，ｚ’）と再構成された画像６２０の座標系（ｘ，ｙ，ｚ）とは異なっていた。そのため、第１の実施形態においてＳ４００で得られた被検体情報の画像６１０は、被検体１００の形態とは異なっていた。
【００９１】
そこで、この工程では、演算部１６２が、エコーが受信された領域６００の座標系と、再構成された画像６２０の座標系とのずれを補正する。すなわち、演算部１６２が、Ｓ４００で取得した被検体情報の画像６２０の座標を、角度θと、面１３０Ｃからのｚ方向の距離（面１３０Ｃの法線方向の長さ）とに基づいて補正する。
【００９２】
具体的には、演算部１６２が、被検体情報の画像６２０のｘ座標を、Δｘ＝ｄ・ｔａｎθだけ補正することにより、角度のずれを補正することができる。これにより得られた画像が図８に示す画像８１０である。画像８２０は、画像６２０と同様にエコーが受信された領域６００に対応する被検体情報の画像である。
【００９３】
図８に示す本実施形態に係る被検体情報の画像８１０と、図６（Ｂ）に示す被検体１００の形態とは一致していることが理解される。
【００９４】
なお、ディスプレイ１７０に表示される被検体情報が座標変換後の被検体情報である限り、座標の変換処理はどのタイミング行われてもよい。すなわち、座標の変換処理は、再構成されてからディスプレイ１７０に表示されるまでのあらゆる工程で行われることができる。
【００９５】
本実施形態においては、ｘ−ｙ平面の面１３０Ｃに対してｙ軸を回転軸として複数のトランスデューサ１４１が回転する場合を考えたため、上記の補正を行った。ところが、本実施形態の被検体情報取得装置によれば、走査面と回転軸の座標系に応じてアフィン変換によりあらゆる座標変換を行うことができる。
【００９６】
以上、本実施形態に係る被検体情報取得装置によれば、複数のトランスデューサと走査面とが所定の角度となっていない場合においても、取得される被検体情報の連続性の低下を抑制することができる。また、本実施形態に係る被検体情報取得装置によれば、角度が所定の角度となっているときに取得される被検体情報と同様の座標系で被検体情報を取得することができる。
【００９７】
（第３の実施形態）
続いて、本実施形態に係る被検体情報取得方法を、図９に示すフローと図１０に示す概略図を用いて説明する。なお、図９において、図５に示す処理と同じ処理については、同じ処理番号を付して詳細な説明を省略する。また、本実施形態においても、第１の実施形態と同じ被検体情報取得装置を用いる。
【００９８】
本実施形態は、複数のトランスデューサ１４１の送信面と面１３０Ｃとが所定の角度をなす場合に送信されるはずであった方向に音響波ビームを送信するように、複数のトランスデューサ１４１のそれぞれの送信時刻を決定する点が第１の実施形態および第２の実施形態とは異なる。すなわち、演算部１６２は、集束位置１０５０に音響波を集束するように複数のトランスデューサ１４１の送信時刻を決定する。
【００９９】
以下、面１３０Ｃと複数のトランスデューサ１４１とが所定の角度をなす場合に送信されるはずであった方向を「所定の方向」と称する。また、面１３０Ｃと複数のトランスデューサ１４１とが所定の角度をなす場合に所定の方向に音響波ビームが形成されるような送信時刻を「所定の送信時刻」と称する。
【０１００】
（Ｓ２１０：所定の方向に音響波ビームを送信するように角度に基づいて決定された送信時刻で音響波ビームを被検体に送信する工程）
この工程では、まず演算部１６２が、Ｓ１００で取得した角度に基づいて、所定の方向に音響波ビームを送信するように、複数のトランスデューサ１４１のそれぞれのオフセット時間を取得する。すなわち、演算部１６２は、記憶部１６３に格納された集束位置１０３０に集束させるための送信パターンに対して、集束位置１０５０に音響波ビーム１０６０を送信するようなオフセット時間を取得する。
【０１０１】
以下、音響波ビーム１０６０を送信するためにｎ番目のトランスデューサに与えるオフセット時間の取得方法の例を、図１０（Ｂ）を用いて説明する。
【０１０２】
まず、演算部１６２は、記憶部１６３に格納された複数のトランスデューサ１４１に対する集束位置１０３０の座標と、角度θとから集束位置１０５０の座標を算出する。なお、本実施形態において開口の中心から集束位置までの距離は、集束位置１０３０と集束位置１０５０とで同一としたが、開口の中心から集束位置までの距離が異なる場合も、角度に基づいて集束位置１０５０の座標を算出することができる。
【０１０３】
続いて、演算部１６２は、角度θと、角度θの回転の支点Ｐ１とｎ番目のトランスデューサとの距離とに基づいて、ｎ番目のトランスデューサの座標を算出する。
【０１０４】
続いて、演算部１６２は、集束位置１０５０の座標と、ｎ番目のトランスデューサの座標とに基づいて、集束位置１０５０とｎ番目のトランスデューサとの距離Ｌ’（ｎ）を算出する。
【０１０５】
続いて、演算部１６２は、点線で示した集束位置１０３０に集束するための送信パターンに対して、Δｔｄ２（ｎ）＝｛Ｌ（ｎ）’−Ｌ（ｎ）｝／ｃのオフセット時間を与えて送信パターンを書き換える。ここで、Ｌ（ｎ）は予め記憶部１６３に格納されていてもよいし、演算部１６２によって算出されてもよい。
【０１０６】
本実施形態においては、音響波ビーム１０４０と音響波ビーム１０６０は開口の中心のトランスデューサ（４番目のトランスデューサ）は共通であるため、Ｌ（４）とＬ’（４）とは同一である。そのため、Ｌ（４）’−Ｌ（４）’＝０であるので、Δｔｄ２（４）＝０となる。
【０１０７】
なお、本実施形態では、演算部１６２が集束位置１０３０に集束するための送信パターンに対するオフセット時間を取得することにより音響波ビームの送信方向を制御することを説明したが、送信方向の制御方法はこれに限らない。
【０１０８】
例えば、演算部１６２が、Ｓ１００で取得した角度θと音速ｃとに基づいて、各トランスデューサの送信時刻ｔｄ２（ｎ）＝Ｌ’（ｎ）／ｃを算出し、記憶部１６３に格納された送信パターンを書き換えてもよい。
【０１０９】
また、制御部１６１が、記憶部１６３に格納された補正前の送信パターンをオフセット時間だけ補正して読み出すようにしてもよい。すなわち、制御部１６１は、波形データメモリ１６３Ａのアドレスの読み出しを開始する時刻をオフセット時間だけずらしてもよい。
【０１１０】
また、各角度における所定の音響波ビームに対応する送信パターンが、予め記憶部１６３に格納されていてもよい。この場合、Ｓ１００で取得した角度に基づいて、制御部１６１が角度に対応する送信パターンを読み出すことにより複数のトランスデューサ１４１の送信時刻を制御してもよい。
【０１１１】
Ｓ２１０の工程の後にＳ３００〜Ｓ５００の工程を行うことにより得られる被検体情報の画像１０１０を、図１０（Ｃ）に示す。ここで、画像１０２０は領域１０００に対応する被検体情報の画像である。
【０１１２】
なお、本実施形態では、Ｓ４１０において、演算部１６２がｚ方向へのせん断のアフィン変換を行っている。すなわち、演算部１６２は、Ｓ４００で得られた被検体情報の座標をｚ方向へΔｚ＝ｘ・ｔａｎθ移動させている。
【０１１３】
以上、本実施形態に係る被検体情報取得装置によれば、複数のトランスデューサと走査面とが所定の角度となっていない場合においても、取得される被検体情報の連続性の低下を抑制することができる。また、本実施形態に係る被検体情報取得装置によれば、所定の角度で取得される被検体情報と同様の座標系で被検体情報を取得することができる。
【０１１４】
（第４の実施形態）
続いて、本実施形態に係る被検体情報取得方法を、図１１に示すフローと図１２に示す概略図を用いて説明する。なお、図１１において、図５および図１０に示す処理と同じ処理については、同じ処理番号を付して詳細な説明を省略する。また、本実施形態においても、第１の実施形態と同じ被検体情報取得装置を用いる。
【０１１５】
本実施形態は、第１の実施形態で説明したＳ２００における送信時刻の制御と、第３の実施形態で説明したＳ２１０における送信時刻の制御とを組み合わせて送信時刻を制御する点が他の実施形態とは異なる。
【０１１６】
（Ｓ２２０：所定の面で発生するエコーから受信でき、所定の方向に音響波ビームを送信するように決定された送信時刻で音響波ビームを被検体に送信する工程）
この工程では、まず演算部１６２が、Ｓ２１０と同様に、所定の方向に音響波ビームを送信するように、Ｓ１００で取得した角度に基づいて複数のトランスデューサ１４１のそれぞれのオフセット時間を取得する。そして、演算部１６２は、これらのオフセット時間を与えて、オフセットされた送信パターンを記憶部１６３に格納する。
【０１１７】
続いて、演算部１６２は、Ｓ２００と同様に、開口の中心のトランスデューサと面１３０Ｃとの間の音響波ビーム１２３０の伝搬時間を補正するように、先に決定されたオフセットされた送信パターンに対するオフセット時間を取得する。
【０１１８】
ただし、本実施形態においては、第１の実施形態と音響波ビームの送信方向が異なるため、オフセット時間Δｔｄ３も第１の実施形態とは異なる。本実施形態において演算部１６２は、面１３０Ｃで発生するエコーを始めとして受信できるように、音響波ビーム毎にオフセット時間Δｔｄ３＝｛Ｄ・ｃｏｓ（π／２−θ）｝／ｃ１を取得する。そして、演算部１６２は、先にオフセットされた送信パターンに対して、このオフセット時間Δｔｄ３を与えて記憶部１６３に格納された送信パターンを書き換える。
【０１１９】
なお、所定の方向に音響波ビームを送信するための送信時刻の補正と、所定の面で発生するエコーから受信するための送信時刻の補正とはいずれを先に行ってもよい。
【０１２０】
続いて、複数のトランスデューサ１４１は上記のようにオフセットされた送信パターンで音響波を送信し、所定の時刻からエコーを受信することにより、図１２（Ｂ）に示す領域１２００で発生したエコーを受信することができる（Ｓ３００）。そして、記憶部１６３に領域１２００で発生したエコーに対応する時系列の電気信号データが格納される。
【０１２１】
続いて、演算部１６２は、Ｓ３００で取得した領域１２００で発生したエコーに対応する時系列の電気信号データを用いて、被検体情報を取得する（Ｓ４００）。続いて、図１２（Ｃ）に示すように、Ｓ４００で取得された被検体情報の画像１２１０はディスプレイ１７０に表示される（Ｓ５００）。ここで、画像１２２０は領域１２００に対応する被検体情報の画像を示す。
【０１２２】
図１２（Ｂ）に示す本実施形態に係るエコーを受信する領域１２００は、図３（Ｂ）に示す比較例１に係るエコーを受信する領域３００と同様の領域であることが理解される。そのため、図１２（Ｃ）に示す本実施形態に係る被検体情報の画像１２１０は、図３（Ｃ）に示す比較例１に係る被検体情報の画像３１０と同様の領域の画像となる。すなわち、本実施形態に係る被検体情報取得方法によれば、音響波の送信面と走査面とのなす角度が所定の角度となっていない場合でも、所定の角度である場合と同様の被検体情報を取得することができる。
【０１２３】
以上、本実施形態に係る被検体情報取得装置によれば、複数のトランスデューサと走査面とが所定の角度となっていない場合においても、取得される被検体情報の連続性の低下を抑制することができる。また、本実施形態に係る被検体情報取得装置によれば、所定の角度で取得される被検体情報と同様の座標系で被検体情報を取得することができる。また、本実施形態に係る被検体情報取得方法によれば、所定の角度で取得される被検体情報と同様の領域の被検体情報を取得することができる。
【０１２４】
以上、本発明の実施形態を説明したが、上述した実施形態はあらゆる点で単なる例示にすぎず、本発明の範囲を限定するものではない。
【符号の説明】
【０１２５】
１００  被検体
１４０  探触子
１４１  複数のトランスデューサ
１５０  走査機構
１６０  信号処理部
【図１】
2015006286.tif 000003
【図２】
2015006286.tif 000004
【図３】
2015006286.tif 000005
【図４】
2015006286.tif 000006
【図５】
2015006286.tif 000007
【図６】
2015006286.tif 000008
【図７】
2015006286.tif 000009
【図８】
2015006286.tif 000010
【図９】
2015006286.tif 000011
【図１０】
2015006286.tif 000012
【図１１】
2015006286.tif 000013
【図１２】
2015006286.tif 000014